(57)【要約】【課題】規格が異なっても部品を共通化することができる情報コンセント用器体を提供する。【解決手段】情報コンセント用器体１０は、モジュラープラグが通過可能な開口２０ｃ１が形成されるカバー１１と、カバー１１に設けられ、可撓性を持つ第１フック２１ａ，２１ｂと、カバー１１に設けられ、可撓性を持つ第２フック２２ａ，２２ｂと、を備える。第１フック２１ａ，２１ｂを用いて、モジュラープラグを差込み可能な接続口を有する第１モジュラー１２をカバー１１に取り付けることが可能であり、第２フック２２ａ，２２ｂを用いて、第１モジュラー１２と規格が異なり、モジュラープラグを差込み可能な接続口を有する第２モジュラー１４をカバー１１に取り付けることが可能である。【選択図】図４
2018147720.tif 000002
【特許請求の範囲】
【請求項１】
モジュラープラグが通過可能な開口が形成されるカバーと、
前記カバーに設けられ、可撓性を持つ第１フックと、
前記カバーに設けられ、可撓性を持つ第２フックと、を備え、
前記第１フックを用いて、モジュラープラグを差込み可能な接続口を有する第１モジュラーを前記カバーに取り付けることが可能であり、
前記第２フックを用いて、前記第１モジュラーと大きさが異なり、モジュラープラグを差込み可能な接続口を有する第２モジュラーを前記カバーに取り付けることが可能である情報コンセント用器体。
【請求項２】
前記情報コンセント用器体の奥行き方向における前記第２フックの長さが、前記奥行き方向における前記第１フックの長さよりも長く、
前記奥行き方向における前記第２モジュラーの長さが、前記奥行き方向における前記第１モジュラーの長さよりも長いことを特徴とする請求項１に記載の情報コンセント用器体。
【請求項３】
前記情報コンセント用器体は、前記カバーに取り付けられ、前記第１モジュラー又は前記第２モジュラーの少なくとも一部が収容されるケースを備え、
前記ケースの内面と前記第１フックとの間には、前記カバーに前記第２モジュラーを取り付けたとき、前記第１フックが前記ケースの前記内面側に撓むのを許容する隙間が設けられることを特徴とする請求項１又は２に記載の情報コンセント用器体。
【請求項４】
前記ケースの前記内面には、前記第２フックが前記ケースの前記内面側に撓むのを防止する凸部が設けられることを特徴とする請求項３に記載の情報コンセント用器体。
【請求項５】
前記カバーの前記開口を挟んだ一方側と他方側に前記第１フックと前記第２フックとが設けられ、
前記一方側の前記第１フックが前記他方側の前記第２フックに向かい合い、
前記一方側の前記第２フックが前記他方側の前記第１フックに向かい合うことを特徴とする請求項１ないし４のいずれか１項に記載の情報コンセント用器体。
【請求項６】
前記第１モジュラー及び前記第２モジュラーは、第１中継コネクタ及び第２中継コネクタであることを特徴とする請求項１ないし４のいずれか１項に記載の情報コンセント用器体。
【請求項７】
請求項１ないし６のいずれか１項に記載の情報コンセント用器体と、
前記第１モジュラー又は前記第２モジュラーと、を備える情報コンセント。
【発明の詳細な説明】
【技術分野】
【０００１】
本発明は、ＬＡＮケーブル、電話用ケーブル等の信号線のモジュラープラグが着脱可能に差し込まれる情報コンセントに関する。
【背景技術】
【０００２】
ＬＡＮケーブル、電話用ケーブル等の信号線のモジュラープラグが着脱可能に差し込まれる情報コンセントが知られている（例えば特許文献１参照）。情報コンセントは、埋込形配線器具用に規格化された取付け枠を用いて、机等の家具の上面又は建築物の壁面（造営面）に埋め込まれる。特許文献１に記載の情報コンセントは、その前面にモジュラープラグを差込み接続可能な接続口を備え、家具又は建築物の造営面に埋め込まれるその後部に、造営面の裏側に配線された信号線が接続される端子を備える。情報コンセントの後部の端子に信号線を接続する際には、建築現場で信号線を適当な長さに切断し、信号線を端子に圧接接続する作業が必要になる。
【０００３】
建築現場での面倒な圧接接続の作業を無くすために、特許文献２には、壁面の裏側に配線される信号線にモジュラープラグを成端し、このモジュラープラグを情報コンセントの後部の接続口に差し込むようにした情報コンセントが開示されている。すなわち、特許文献２に記載の情報コンセントは、中継コネクタであり、その前面に第１信号線に成端された第１モジュラープラグを差込み可能な第１接続口を有すると共に、その後部に壁面の裏側に配線される第２信号線に成端された第２モジュラープラグを差込み可能な第２接続口を有する。
【先行技術文献】
【特許文献】
【０００４】
【特許文献１】特開平１０−２２３３２８号公報
【特許文献２】特開２００４−１７１８８３号公報
【発明の概要】
【発明が解決しようとする課題】
【０００５】
ところで、ＬＡＮケーブルには通信速度及び適合するイーサネット（登録商標）規格に応じてＣＡＴ５ｅ、ＣＡＴ６、ＣＡＴ６ａ等の規格があり、情報コンセントにもＣＡＴ５ｅ、ＣＡＴ６、ＣＡＴ６ａ等の規格がある。従来の情報コンセントにあっては、規格が異なると別々の情報コンセントになり、部品を共通化できないという課題がある。
【０００６】
そこで本発明は、規格が異なっても部品を共通化することができる情報コンセント用器体及び情報コンセントを提供することを目的とする。
【課題を解決するための手段】
【０００７】
上記課題を解決するために、本発明は、モジュラープラグが通過可能な開口が形成されるカバーと、前記カバーに設けられ、可撓性を持つ第１フックと、前記カバーに設けられ、可撓性を持つ第２フックと、を備え、前記第１フックを用いて、モジュラープラグを差込み可能な接続口を有する第１モジュラーを前記カバーに取り付けることが可能であり、前記第２フックを用いて、前記第１モジュラーと大きさが異なり、モジュラープラグを差込み可能な接続口を有する第２モジュラーを前記カバーに取り付けることが可能である情報コンセント用器体である。
【発明の効果】
【０００８】
本発明によれば、１つの器体に互いに大きさが異なる２種類のモジュラーを取り付けることが可能である。規格が異なっても器体を共通化することができるので、情報コンセントの組立て又は交換が容易である。
【図面の簡単な説明】
【０００９】
【図１】本発明の一実施形態の情報コンセントを机の天板に埋め込んだ例を示す斜視図である。
【図２】机の天板に取り付けられる取付け具の断面図である。
【図３】本実施形態の情報コンセントの外観斜視図（図３（ａ）は上面側斜視図、図３（ｂ）は下面側斜視図）である。
【図４】本実施形態の情報コンセントの分解斜視図である。
【図５】カバーの斜視図（図５（ａ）は上面側斜視図、図５（ｂ）は下面側斜視図）である。
【図６】ケースの斜視図（図６（ａ）は上面側斜視図、図６（ｂ）は下面側斜視図）である。
【図７】中継コネクタを組み込んでいない器体の詳細図（図７（ａ）は平面図、図７（ｂ）は図７（ａ）のＡ−Ａ断面図、図７（ｃ）は図７（ａ）のＢ−Ｂ断面図）である。
【図８】短い中継コネクタを組み込んだ器体の詳細図（図８（ａ）は平面図、図８（ｂ）は図８（ａ）のＤ−Ｄ断面図、図８（ｃ）は図８（ａ）のＥ−Ｅ断面図）である。
【図９】長い中継コネクタを組み込んだ器体の詳細図（図９（ａ）は平面図、図９（ｂ）は図９（ａ）のＧ−Ｇ断面図、図９（ｃ）は図９（ａ）のＨ−Ｈ断面図）である。
【図１０】短い中継コネクタを器体に組み込むときの工程図である。
【図１１】長い中継コネクタを器体に組み込むときの工程図である。
【図１２】ＵＳＢケーブルのプラグを器体に組み込むときの工程図である。
【図１３】分割ホルダの正面図である。
【発明を実施するための形態】
【００１０】
以下、添付図面に基づいて、本発明の一実施形態の情報コンセント用器体及び情報コンセントを説明する。ただし、本発明の情報コンセント用器体及び情報コンセントは種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
【００１１】
図１は、本実施形態の情報コンセント１ａ，１ｂを机の天板２に埋め込んだ例を示す。机の天板２には、化粧プレート４ｂで覆われた取付け具４ａが取り付けられる。情報コンセント１ａ，１ｂは、取付け具４ａに並べて取り付けられる。一方の情報コンセント１ａは、ＬＡＮケーブルのモジュラープラグが差込み可能なＬＡＮ用の情報コンセントである。他方の情報コンセント１ｂは、ＵＳＢケーブルの端子が差込み可能なＵＳＢ用の情報コンセントである。情報コンセントの個数は１、２、３等適宜設定することができ、情報コンセント１ａ，１ｂの用途はＬＡＮ用、ＵＳＢ用、電話用、映像用等適宜設定することができる。
【００１２】
図２は、机の天板２に取り付けられる取付け具４ａの断面図を示す。取付け具４ａは、情報コンセント１ａ，１ｂを取り付けるための取付け枠４ａ１を備える。この取付け枠４ａ１は、埋込形配線器具用の取付け枠（例えばＪＩＳ  Ｃ  ８３７５で規格化された大角形連用配線器具の取付け枠）であり、天板２に開けた孔内に配置される。取付け枠４ａ１に情報コンセント１ａを取り付ける際は、取付け枠４ａ１の下方から情報コンセント１ａを挿入し、情報コンセント１ａの左右の突起６（図３も参照）を取付け枠４ａ１の左右の係合孔５に係合させる。取付け枠４ａ１は、樹脂製であり、突起６を挿入できるように可撓性を持つ。情報コンセント１ａを取り外すときは、天板２の上方から挿入した工具で取付け枠４ａ１を撓ませ、情報コンセント１ａの突起６と取付け枠４ａ１の係合孔５との係合を外す。
【００１３】
取付け具４ａは、化粧プレート４ｂで覆われる。化粧プレート４ｂには、情報コンセント１ａ，１ｂの上面の接続口を露出させる開口４ｂ１が開けられる。化粧プレート４ｂには、化粧プレート４ｂの開口４ｂ１を開閉する蓋３がスライド可能に設けられる。
【００１４】
図３は、本実施形態の情報コンセント１ａの外観斜視図（図３（ａ）は上面側斜視図、図３（ｂ）は下面側斜視図）を示す。図４は、本実施形態の情報コンセント１ａの分解斜視図を示す。１１はカバー、１３はケース、１２はモジュラーとしての中継コネクタである。カバー１１は取付け枠４ａ１に着脱可能に取り付けられる。ケース１３はカバー１１に着脱可能に取り付けられる。カバー１１とケース１３とが情報コンセント用器体１０（以下、単に器体１０という）を構成する。器体１０と中継コネクタ１２とが、情報コンセント１ａを構成する。
【００１５】
なお、以下において、説明の便宜上、図４の上下、左右、前後の各方向を用いて情報コンセント１ａの構成を説明する。もちろん、情報コンセント１ａの配置は、このような配置に限られるもではない。
【００１６】
図３（ａ）（ｂ）に示すように、器体１０は、横長直方体状の箱体であり、その上面及び下面に略四角形の開口２０ｃ１，１３ｃ１を有する。器体１０の上面の開口２０ｃ１には、中継コネクタ１２の第１接続口１２ａが露出する。器体１０の下面の開口１３ｃ１には、中継コネクタ１２の第２接続口１２ｂが露出する。中継コネクタ１２の第１接続口１２ａには、机の上面（造営面）よりも上側に配線される第１信号線（例えば４対８芯の信号線）の第１モジュラープラグが差し込まれる。第２接続口１２ｂには、造営面よりも下側に配線される第２信号線（例えば４対８芯の信号線）の第２モジュラープラグが差し込まれる。
【００１７】
図４に示すように、カバー１１は、横長直方体状で左右の肩部を有する蓋体２０と、蓋体２０の前後方向に対向する一対の側面パネル２０ａそれぞれに一体に形成される第１フック２１ａ，２１ｂ及び第２フック２２ａ，２２ｂ（図５（ｂ）参照）と、蓋体２０の一対の肩部２０ｂそれぞれに一体に形成されるケースフック２３と、を備える。第１フック２１ａ，２１ｂ、第２フック２２ａ，２２ｂ及びケースフック２３は可撓性を持つ。
【００１８】
第１フック２１ａ，２１ｂと第２フック２２ａ，２２ｂは、ＣＡＴ５ｅ、ＣＡＴ６等の規格が異なって上下方向（器体１０の奥行き方向）の長さが変わる２種類の中継コネクタ１２，１４（図１０、図１１参照）をカバー１１に取り付けるために用いられる。第２フック２２ａ，２２ｂの上下方向の長さは、第１フック２１ａ，２１ｂの上下方向の長さよりも長い。ここで、第１フック２１ａ，２１ｂ及び第２フック２２ａ，２２ｂの上下方向の長さとは、第１フック２１ａ，２１ｂ及び第２フック２２ａ，２２ｂの、側面パネル２０ａから突出する部分の長さである。第１フック２１ａ，２１ｂは、上下方向の長さが短い中継コネクタ１２（図１０参照）をカバー１１に取り付けるために用いられる。第２フック２２ａ，２２ｂは、上下方向の長さが長い中継コネクタ１４（図１１参照）をカバー１１に取り付けるために用いられる。
【００１９】
中継コネクタ１２は、縦長正方形筒状である。中継コネクタ１２は、その上面に第１接続口１２ａを有し、その下面に第２接続口１２ｂ（図３（ｂ）参照）を有する。第１接続口１２ａには、第１モジュラープラグの例えば８極の接触子に接触する例えば８極の接触子が設けられる。第２接続口１２ｂには、第２モジュラープラグの例えば８極の接触子に接触する例えば８極の接触子が設けられる。第１接続口１２ａの接触子と第２接続口１２ｂの接触子とは、図示しない導電部材によって電気的に接続される。中継コネクタ１４（図１１参照）は、中継コネクタ１２よりも上下方向に長い他、中継コネクタ１２と略同様の構成である。中継コネクタ１２，１４は公知のものであるので、これ以上の詳しい説明を省略する。
【００２０】
ケース１３は、横長直方体状の箱体である。ケース１３の側面パネル１３ｂには、左右方向に突出する突起２７が設けられる。カバー１１の下面にケース１３の上面を突き合わせると、ケース１３の突起２７がカバー１１のケースフック２３の係合孔２３ａに係合して、ケース１３がカバー１１に取り付けられる。ケース１３を取り外すときは、ケースフック２３を撓ませ、ケースフック２３の係合孔２３ａとケース１３の突起２７との係合を外す。
【００２１】
カバー１１の詳細な構造は、以下のとおりである。図５（ａ）はカバー１１の上面側斜視図を示し、図５（ｂ）はカバー１１の下面側端図を示す。カバー１１の蓋体２０の上面パネル２０ｃは、肩部２０ｂよりも上方に突出する。上面パネル２０ｃには、第１信号線の第１モジュラープラグが通過可能な開口２０ｃ１が形成される。肩部２０ｂには、左右方向に突出する一対の突起６が設けられる。また、肩部２０ｂには、左右方向に向かって開口する溝状の穴８が設けられる。突起６は、合成樹脂製の取付け枠４ａ１にカバー１１を取り付けるのに用いられる。溝状の穴８は、金属製の取付け枠（図示せず）にカバー１１を取り付けるのに用いられる。
【００２２】
蓋体２０の一方の側面パネル２０ａの内面には、第１フック２１ａ及び第２フック２２ａが一体に形成される。第１フック２１ａ及び第２フック２２ａは、上面パネル２０ｃから下方に向かって延び、側面パネル２０ａに一体に形成される部分と、側面パネル２０ａから下方に突出する部分と、を有する。第１フック２１ａの内面及び第２フック２２ａの内面は、第１フック２１ａ及び第２フック２２ａの厚さ分、側面パネル２０ａの内面よりも内方に突出する。上記のように、第２フック２２ａの、側面パネル２０ａから突出する部分の長さは、第１フック２１ａの、側面パネル２０ａから突出する部分の長さよりも長い。
【００２３】
第１フック２１ａの先端部には、内方に向かって突出する断面三角形状の突起からなる爪３１が一体に形成される。上下方向の長さが短い中継コネクタ１２（以下、第１中継コネクタ１２という）は、第１フック２１ａの爪３１と上面パネル２０ｃとの間に挟まれて固定される。第２フック２２ａの先端部にも、内方に向かって突出する断面三角形状の突起からなる爪３２が一体に形成される。上下方向の長さが長い中継コネクタ１４（以下、第２中継コネクタ１４という）は、第２フック２２ａの爪３２と上面パネル２０ｃとの間に挟まれて固定される。第１中継コネクタ１２と第２中継コネクタ１４とは規格が異なる。例えば第１中継コネクタ１２はＣＡＴ５ｅ対応の中継コネクタであり、第２中継コネクタ１４はＣＡＴ６ａ対応の中継コネクタである。
【００２４】
蓋体２０の他方の側面パネル２０ａの内面にも、第１フック２１ｂと第２フック２２ｂとが一体に形成される。第１フック２１ｂの形状は、第１フック２１ａと同一である。第２フック２２ｂの形状は、第２フック２２ａと同一である。合計４つの第１フック２１ａ，２１ｂと第２フック２２ａ，２２ｂとは、互い違いに配置される。すなわち、開口２０ｃ１を挟んだ一方側（一方の側面パネル２０ａ側）の第１フック２１ａと開口２０ｃ１を挟んだ他方側（他方の側面パネル２０ａ側）の第２フック２２ｂとが向かい合い、一方の側面パネル２０ａ側の第２フック２２ａと他方の側面パネル２０ａ側の第１フック２１ｂとが向かい合う。
【００２５】
蓋体２０の側面パネル２０ａそれぞれの内面には、リブ状の一対の突起３４が一体に形成される。突起３４、第１フック２１ａ，２１ｂ及び第２フック２２ａ，２２ｂによって、中継コネクタ１２，１４を収容する収容部が画定される。第１フック２１ａ，２１ｂと第２フック２２ａ，２２ｂとを互い違いに配置することで、収容部に収容される中継コネクタ１２，１４を安定して保持することができる。
【００２６】
ケース１３の詳細な構造は、以下のとおりである。図６（ａ）はケース１３の上面側斜視図を示し、図６（ｂ）はケース１３の下面側端図を示す。ケース１３の下面パネル１３ｃには、第２信号線の第２モジュラープラグが通過可能な開口１３ｃ１が形成される。ケース１３の上端の４つの角部には、断面Ｌ字状の嵌合突起３３が一体に形成される。嵌合突起３３が蓋体２０の内面に嵌まることで、ケース１３がカバー１１に位置決めされる。
【００２７】
ケース１３の側面パネル１３ｂの外面には、ケースフック２３の係合孔２３ａに係合する突起２７が形成される。ケース１３の側面パネル１３ａそれぞれの内面には、リブ状の一対の突起３５が一体に形成される。突起３５、側面パネル１３ａによって、中継コネクタ１２，１４の下半分を収容する収容部が画定される。ケース１３の側面パネル１３ａの内面のうち、第２フック２２ａ，２２ｂに対向する部分には、凸部として、下面パネル１３ｃに近づくにしたがって高さが高くなる傾斜面３６が形成される。
【００２８】
傾斜面３６について詳述する。図７は、中継コネクタ１２，１４を組み込んでいない器体１０の詳細図を示す。図７（ｂ）（ｃ）に示すように、ケース１３の側面パネル１３ａの内面のうち、第２フック２２ａ，２２ｂに対向する部分は傾斜面３６に形成される。このため、第２フック２２ａ，２２ｂの先端部と傾斜面３６との間には殆ど隙間が無く、第２フック２２ａ，２２ｂは傾斜面３６側に撓むのが防止される。一方、ケース１３の側面パネル１３ａの内面のうち、第１フック２１ａ，２１ｂに対向する部分３７（図６（ａ）参照）は、第１フック２１ａ，２１ｂと平行な平面に形成される。この部分３７と第１フック２１ａ，２１ｂとの間には、第１フック２１ａ，２１ｂの長さ方向に略一定の隙間δ（図７（ｃ）参照）が空く。
【００２９】
図８は、第１中継コネクタ１２を組み込んだ器体１０の詳細図を示す。第１中継コネクタ１２を器体１０に組み込んだとき、第１中継コネクタ１２は、第１フック２１ａ，２１ｂの爪３１とカバー１１の上面パネル２０ｃとの間に挟まれて固定される。このとき、第１フック２１ａ，２１ｂと第２フック２２ａ，２２ｂとはいずれも閉じている（言い換えれば、撓んでいないか、略撓んでいない）。第１中継コネクタ１２に無理な力がかかり、第１フック２１ａ，２１ｂが開いて第１フック２１ａ，２１ｂの爪３１と第１中継コネクタ１２との係合が外れたとき、第２フック２２ａ，２２ｂの爪３２と第１中継コネクタ１２とが係合するようになる。第２フック２２ａ，２２ｂは傾斜面３６によって開くのが防止されているので、第１中継コネクタ１２が第２フック２２ａ，２２ｂから抜けるのを防止できる。
【００３０】
図９は、第２中継コネクタ１４を組み込んだ器体１０の詳細図を示す。第２中継コネクタ１４を器体１０に組み込んだとき、第２中継コネクタ１４は第２フック２２ａ，２２ｂの爪３２とカバー１１の上面パネル２０ｃとの間に挟まれて固定される。このとき、第２フック２２ａ，２２ｂは閉じているが、第１フック２１ａ，２１ｂは、その爪３１が第２中継コネクタ１４の側面に当たるので開いている。第１フック２１ａ，２１ｂとケース１３の側面パネル１３ａの内面３７との間には、隙間δ（図７（ｃ）参照）が空いていて、第１フック２１ａ，２１ｂの開きを許容するので、第１フック２１ａ，２１ｂが開いていても、ケース１３をカバー１１に取り付けることができる。第２中継コネクタ１４に無理な力がかかり、第２フック２２ａ，２２ｂが開こうとしても、傾斜面３６によって第２フック２２ａ，２２ｂの開きが防止されているので、第２中継コネクタ１４が第２フック２２ａ，２２ｂから抜けるのを防止できる。
【００３１】
図１０は、第１中継コネクタ１２を器体１０に組み込むときの工程図を示す。第１フック２１ａと第２フック２２ｂとの間及び第１フック２１ｂと第２フック２２ａとの間に第１中継コネクタ１２を差し込むと、第１フック２１ａ，２１ｂ及び第２フック２２ａ，２２ｂが外側に開く。図１０のＳ２，Ｓ３に示すように、第１中継コネクタ１２をカバー１１の上面パネル２０ｃに当たるまで差し込むと、第１フック２１ａ，２１ｂ及び第２フック２２ａ，２２ｂが閉じ、第１中継コネクタ１２が第１フック２１ａ，２１ｂの爪３１と上面パネル２０ｃとの間に挟まれてカバー１１に固定される。図１０のＳ４に示すように、ケース１３をカバー１１に取り付ければ、第１中継コネクタ１２が組み込まれたＬＡＮケーブル用の情報コンセント１ａが完成する。
【００３２】
図１１は、第２中継コネクタ１４を器体１０に組み込むときの工程図を示す。第１フック２１ａと第２フック２２ｂとの間及び第１フック２１ｂと第２フック２２ａとの間に第２中継コネクタ１４を差し込むと、第１フック２１ａ，２１ｂ及び第２フック２２ａ，２２ｂが外側に開く。図１１のＳ２，Ｓ３に示すように、第２中継コネクタ１４をカバー１１の上面パネル２０ｃに当たるまで差し込むと、第１フック２１ａ，２１ｂは外側に開いたままであるが、第２フック２２ａ，２２ｂは閉じる。第２中継コネクタ１４は、第２フック２２ａ，２２ｂの爪３２と上面パネル２０ｃとの間に挟まれてカバー１１に固定される。第１フック２１ａ，２１ｂとケース１３の側面パネル１３ａの内面３７との間には、第１フック２１ａ，２１ｂの開きを許容する隙間δが設けられるので、図１１のＳ４に示すように、第１フック２１ａ，２１ｂが開いていても、ケース１３をカバー１１に取り付けることができる。
【００３３】
図１２は、ＵＳＢケーブルのプラグを器体１０に組み込むときの工程図を示す。器体１０には、ＵＳＢケーブルのプラグ４１を組み込むことも可能である。この場合、図１２のＳ１、Ｓ２に示すように、器体１０とプラグ４１との間にこれらの間の隙間を埋めてプラグ４１を保持するホルダ４２を介在させる。ホルダ４２は、２分割された分割ホルダ４２ａ，４２ｂを組み合わせてなる。分割ホルダ４２ａと分割ホルダ４２ｂとは、同一の形状である。一方の分割ホルダ４２ａのフック４３を他方の分割ホルダ４２ｂの係合孔４４に係合させて、分割ホルダ４２ａと分割ホルダ４２ｂとを結合させる。
【００３４】
図１３は、分割ホルダ４２ａの正面図を示す。分割ホルダ４２ａには、プラグ４１の形状に合わせた収容凹部４５が形成される。また、分割ホルダ４２ａには、収容凹部４５の壁面を構成するＳ字状の板ばね部４６が設けられる。板ばね部４６を設けることによって、プラグ４１の寸法の変化に対応することができ、プラグ４１をホルダ４２内に安定して保持できる。
【００３５】
図１２のＳ１、Ｓ２に示すように、分割ホルダ４２ａ，４２ｂ間にプラグ４１を挟み、分割ホルダ４２ａ，４２ｂを互いに結合させた後、図１２のＳ３に示すように、ホルダ４２をカバー１１に差し込む。このとき、カバー１１の第１フック２１ａ，２１ｂの爪３１がホルダ４２の横長突起４７に係合する。ホルダ４２は、第１フック２１ａ，２１ｂの爪３１とカバー１１の上面パネル２０ｃとの間に挟まれてカバー１１に固定される。図１２のＳ３に示すように、ケース１３をカバー１１に取り付ければ、ＵＳＢケーブル用の情報コンセント１ｂが完成する。
【００３６】
なお、本発明は上記実施形態に具現化されるのに限られることはなく、本発明の要旨を変更しない範囲で様々な実施形態に変更できる。
【００３７】
上記実施形態では、情報コンセントを机の天板に埋め込んでいるが、情報コンセントを建築物の壁面に埋め込むこともできる。この場合、取付け枠は、建築物の壁面に埋め込まれたスイッチボックスに取り付けられる。
【００３８】
上記実施形態では、モジュラーの接続口を開閉する蓋を机の天板の化粧プレートに設けているが、モジュラーの接続口を開閉する扉をカバーに設けることもできる。
【００３９】
上記実施形態では、モジュラーが中継コネクタである例を説明したが、モジュラーにはその後部に信号線が圧接接続される端子を有するものを用いることもできる。
【００４０】
上記実施形態では、第１中継コネクタ（第１モジュラー）と第２中継コネクタ（第２モジュラー）との上下方向（器体の奥行き方向）の長さが異なっているが、第１中継コネクタ（第１モジュラー）と第２中継コネクタ（第２モジュラー）との大きさ、すなわち左右方向の幅、前後方向の高さ、上下方向の長さの少なくとも一つが異なっていればよい。
【符号の説明】
【００４１】
１ａ，１ｂ…情報コンセント
１０…情報コンセント用器体
１１…カバー
１２…第１中継コネクタ（第１モジュラー）
１２ａ…第１接続口（接続口）
１２ｂ…第２接続口（接続口）
１３…ケース
１４…第２中継コネクタ（第２モジュラー）
２０ｃ１…開口
２１ａ，２１ｂ…第１フック
２２ａ，２２ｂ…第２フック
３６…傾斜面（凸部）
３７…ケースの内面
δ…隙間
【図１】
2018147720.tif 000003
【図２】
2018147720.tif 000004
【図３】
2018147720.tif 000005
【図４】
2018147720.tif 000006
【図５】
2018147720.tif 000007
【図６】
2018147720.tif 000008
【図７】
2018147720.tif 000009
【図８】
2018147720.tif 000010
【図９】
2018147720.tif 000011
【図１０】
2018147720.tif 000012
【図１１】
2018147720.tif 000013
【図１２】
2018147720.tif 000014
【図１３】
2018147720.tif 000015